(57)【要約】【課題】ラベルの切断作業と切断されたラベルの貼付作業とは動作が異なり連続的に行うことが困難であるので、これらの作業を一連の動作で行えるようにする。【解決手段】ラベルＬＬは、案内経路１６１に沿って搬送されてラベル排出口１１４から排出される。ラベル排出口１１４に位置する揺動体１５１は、一端をハウジング１０２の先端部の外側に配置し他端をハウジング１０２の先端部の内側に配置して、ラベル排出口１１４から排出されるラベルＬＬの幅方向に沿う軸心１５５を中心として揺動する。揺動体１５１の一端側に位置するラベル押え部１５２は、ラベル排出口１１４から排出されたラベルＬＬを被貼付物ＷＫに押え付ける。揺動体１５１の他端側に位置するラベル切断部１５３は、ラベル押え部１５２の押え付け動作による揺動体１５１の揺動によってラベルＬＬに突き当たり切れ目を形成する。【選択図】図８
2010000779.tif 000002
【特許請求の範囲】
【請求項１】
ハウジングと、
ラベルを収納する収納部と、
前記ハウジングの先端部に位置しラベルが通過可能なラベル排出口と、
前記収納部と前記ラベル排出口とを連絡しラベルを案内する案内経路と、
ラベルを前記案内経路に沿って搬送して前記ラベル排出口から排出させる搬送機構と、
前記搬送機構の駆動源を制御する制御部と、
前記案内経路で印字動作する印字部と、
前記ラベル排出口に位置し、一端を前記ハウジングの先端部の外側に配置し、他端を前記ハウジングの先端部の内側に配置し、前記ラベル排出口から排出されるラベルの幅方向に沿う軸心を中心として揺動する揺動体と、
前記揺動体の一端側に位置し、前記ラベル排出口から排出されたラベルを被貼付物に押え付けるラベル押え部と、
前記揺動体の他端側に位置し、前記ラベル押え部の押え付け動作による前記揺動体の揺動によってラベルに突き当たり切れ目を形成するラベル切断部と、
を備えるハンドヘルドプリンタ。
【請求項２】
前記収納部は、ミシン目を有するライナレスラベルを収納し、
前記制御部は、前記ラベル排出口から排出されるライナレスラベルのミシン目を前記案内経路の前記印字部よりも下流側のミシン目位置に位置付けさせ、
前記ラベル切断部は、前記案内経路に向けて尖った形状を有し、前記ラベル押え部の押え付け動作による前記揺動体の揺動によって前記案内経路に上面側から侵入し、前記案内経路への侵入過程で頂点部が前記ミシン目位置に位置するミシン目に突き当たり切れ目を形成した後に頂点部に接続する斜めの辺部がミシン目に突き当たって切れ目を拡張する、
請求項１記載のハンドヘルドプリンタ。
【請求項３】
前記ラベル切断部は、前記案内経路に向けて尖った形状の刃を有し、前記ラベル押え部の押え付け動作による前記揺動体の揺動によって前記案内経路に上面側から侵入し、前記案内経路への侵入過程で前記刃の頂点部が前記案内経路中のラベルに突き刺さり切れ目を形成した後に頂点部に接続する前記刃の辺部がラベルを裁断して切れ目を拡張する、
請求項１記載のハンドヘルドプリンタ。
【請求項４】
前記案内経路の下面側に位置して前記揺動体の前記他端側が前記揺動体の揺動によって当接する当接面を備え、
前記ラベル切断部は、前記当接面に合致する形状の刃を有し、前記ラベル押え部の押え付け動作による前記揺動体の揺動によって前記案内経路に侵入し、前記案内経路への侵入過程で前記刃が前記案内経路中のラベルを前記当接面に押圧して切れ目を形成する、
請求項１記載のハンドヘルドプリンタ。
【請求項５】
前記ラベル排出口から排出されるラベルを前記ラベル排出口から引き出し不可にロックするロック機構を備える、
請求項１ないし４のいずれか一記載のハンドヘルドプリンタ。
【請求項６】
ハウジングと、
ミシン目を有するライナレスラベルを収納する収納部と、
前記ハウジングの先端部に位置しラベルが通過可能なラベル排出口と、
前記収納部と前記ラベル排出口とを連絡しラベルを案内する案内経路と、
ラベルを前記案内経路に沿って搬送して前記ラベル排出口から排出させる搬送機構と、
前記案内経路で印字動作する印字部と、
前記搬送機構の駆動源を制御して、前記ラベル排出口から排出されるライナレスラベルのミシン目を前記案内経路の前記印字部よりも下流側のミシン目位置に位置付けさせる制御部と、
前記ラベル排出口から排出されミシン目が前記ミシン目位置に位置するライナレスラベルを前記ラベル排出口から引き出し不可にロックするロック機構と、
前記ハウジングの先端部の外側で前記ラベル排出口の上面側に位置し、前記ラベル排出口から排出されるライナレスラベルを被貼付物に押え付け、押え付けたライナレスラベルに沿う移動によりライナレスラベルに長さ方向の張力を付与するラベル押え部と、
前記ラベル排出口から排出されるライナレスラベルの幅方向に沿って設けられ、前記案内経路の前記ミシン目位置に上面側から干渉し、干渉する方向に尖った形状を有し、前記ラベル押え部が張力を付与するライナレスラベルのミシン目に頂点部が突き当たり切れ目を形成した後に頂点部に接続する斜めの辺部がミシン目に突き当たり切れ目を拡張するラベル切断部と、
を備えるハンドヘルドプリンタ。
【発明の詳細な説明】
【技術分野】
【０００１】
本発明は、片手で把持可能な把持部を有するハンドヘルドプリンタに関する。
【背景技術】
【０００２】
従来、ラベルに情報を印字して発行する携帯型のプリンタがある（特許文献１参照）。このようなプリンタは、例えば各地から集められた荷物を配送先に仕分する配送センタにおいて配送先等の情報が印字されて荷物に貼付されるラベルを発行する用途で使用されている。
【０００３】
また近年、このようなプリンタでは、ライナ（剥離台紙）を回収して処分する必要の無いライナレスラベルがエコロジーの観点から使用されることが多い。
【０００４】
ライナレスラベルは、剥離台紙に単体で貼り付けられたものではないので、発行されたラベルについては、手作業で切断する作業が要求される。そのため、ライナレスラベルが使用されるプリンタのラベル排出口には、例えばティアカット型の刃が設けられている。そして、プリンタの使用者は、ラベル排出口から排出されたライナレスラベルを適当な長さで切断して単体のラベルにし、これを被貼付物に貼り付けている。
【先行技術文献】
【特許文献】
【０００５】
【特許文献１】特開２００２−２０５８公報
【発明の概要】
【発明が解決しようとする課題】
【０００６】
上記のようなプリンタを使用する場合には、ライナレスラベルを切断する作業と、切断されて単体となったラベルを被貼付物に貼りつける作業とが要求されることになる。しかし、このように全く動作の異なる作業を連続的に行うことは非常に煩雑である。
【０００７】
本発明の目的は、ライナレスラベルを切断する作業と、切断されて単体となったラベルを被貼付物に貼付する作業とを一連の動作で行えるようにすることである。
【課題を解決するための手段】
【０００８】
本発明のハンドヘルドプリンタは、ハウジングと、ラベルを収納する収納部と、前記ハウジングの先端部に位置しラベルが通過可能なラベル排出口と、前記収納部と前記ラベル排出口とを連絡しラベルを案内する案内経路と、ラベルを前記案内経路に沿って搬送して前記ラベル排出口から排出させる搬送機構と、前記搬送機構の駆動源を制御する制御部と、前記案内経路で印字動作する印字部と、前記ラベル排出口に位置し、一端を前記ハウジングの先端部の外側に配置し、他端を前記ハウジングの先端部の内側に配置し、前記ラベル排出口から排出されるラベルの幅方向に沿う軸心を中心として揺動する揺動体と、前記揺動体の一端側に位置し、前記ラベル排出口から排出されたラベルを被貼付物に押え付けるラベル押え部と、前記揺動体の他端側に位置し、前記ラベル押え部の押え付け動作による前記揺動体の揺動によってラベルに突き当たり切れ目を形成するラベル切断部と、を備える。
【０００９】
別の面から見た本発明のハンドヘルドプリンタは、ハウジングと、ミシン目を有するライナレスラベルを収納する収納部と、前記ハウジングの先端部に位置しラベルが通過可能なラベル排出口と、前記収納部と前記ラベル排出口とを連絡しラベルを案内する案内経路と、ラベルを前記案内経路に沿って搬送して前記ラベル排出口から排出させる搬送機構と、前記案内経路で印字動作する印字部と、前記搬送機構の駆動源を制御して、前記ラベル排出口から排出されるライナレスラベルのミシン目を前記案内経路の前記印字部よりも下流側のミシン目位置に位置付けさせる制御部と、前記ラベル排出口から排出されミシン目が前記ミシン目位置に位置するライナレスラベルを前記ラベル排出口から引き出し不可にロックするロック機構と、前記ハウジングの先端部の外側で前記ラベル排出口の上面側に位置し、前記ラベル排出口から排出されるライナレスラベルを被貼付物に押え付け、押え付けたライナレスラベルに沿う移動によりライナレスラベルに長さ方向の張力を付与するラベル押え部と、前記ラベル排出口から排出されるライナレスラベルの幅方向に沿って設けられ、前記案内経路の前記ミシン目位置に上面側から干渉し、干渉する方向に尖った形状を有し、前記ラベル押え部が張力を付与するライナレスラベルのミシン目に頂点部が突き当たり切れ目を形成した後に頂点部に接続する斜めの辺部がミシン目に突き当たり切れ目を拡張するラベル切断部と、を備える。
【発明の効果】
【００１０】
本発明によれば、ライナレスラベルの切断作業と切断されて単体となったラベルの貼付作業とを、把持部を把持した片腕だけの一連の動作で行うことができる。
【図面の簡単な説明】
【００１１】
【図１】ハンドヘルドプリンタを示す外観斜視図である。
【図２】ハンドヘルドプリンタをハウジングの一部を切り欠いて示す右側面図である。
【図３】ライナレスラベルを示す斜視図である。
【図４】ラベル排出口の周辺を示す縦断側面図である。
【図５】揺動体を示す斜視図である。
【図６】ハンドヘルドプリンタの電気的接続を示すブロック図である。
【図７】ハンドヘルドプリンタで実行される処理の流れを示すフローチャートである。
【図８】ラベルを被貼付物に貼り付ける状態のハンドヘルドプリンタの先端部分を示す縦断側面図である。
【図９】ラベル切断部を示す模式図である。
【図１０】第２の実施形態のハンドヘルドプリンタを示す縦断側面図である。
【図１１】第２の実施形態のラベル切断部を示す模式図である。
【図１２】第３の実施形態のハンドヘルドプリンタを示す縦断側面図である。
【図１３】第４の実施形態のハンドヘルドプリンタを示す縦断側面図である。
【図１４】第４の実施形態のラベル切断部を模式的に示す平面図である。
【発明を実施するための形態】
【００１２】
［第１の実施形態］
本発明の第１の実施形態について図１ないし図９に基づいて説明する。
【００１３】
図１は、ハンドヘルドプリンタ１０１を示す外観斜視図である。ハンドヘルドプリンタ１０１は、上面の一部が前方側（図１中左下側）に向けて低くなるように傾斜した一方向に長いハウジング１０２を有する。
【００１４】
ハウジング１０２上面の前方側領域には、把持部１０４が設けられている。把持部１０４は、ハウジング１０２に対して下端が固定された支柱１０４ａと、この支柱１０４ａの上端に接続した扁平な扁平体１０４ｂとを有している。支柱１０４ａは、ハウジング１０２の前方に向けて上端部が僅かに傾いている（図２参照）。また、扁平体１０４ｂは、胴部が膨らんだ扁平な円柱形状を有している。このように構成された把持部１０４はＴ字型を形成しており、一方の手（右手又は左手）で把持することが可能となっている（図２参照）。
【００１５】
ハウジング１０２上面の後方端には、一対の面ファスナ１０５が固定的に取り付けられている。面ファスナ１０５は、把持部１０４を手が把持した状態の腕に巻き付けて貼り合わせることが可能な長さを有している。
【００１６】
図２は、ハンドヘルドプリンタ１０１をハウジング１０２の一部を切り欠いて示す右側面図である。前述したように、図２に示すように、面ファスナ１０５によって腕４０２をハウジング１０２に対して固定することができる。そして、面ファスナ１０５によって固定された腕４０２を手４０１が把持部１０４を把持した状態で動かすことにより、ハンドヘルドプリンタ１０１を容易に移動させることができる。
【００１７】
ハウジング１０２は、その上面が傾斜しているため、図２に示すように、側方から見て先細り形状を有している。以下、ハウジング１０２における先細りした端部を「先端部」と呼ぶことがある。つまり、ハンドヘルドプリンタ１０１を上面から見た場合、ハウジング１０２における先端部は、把持部１０４を把持する手４０１を通る腕４０２の延長線上に位置付けられている。また、ハウジング１０２の下面についても、先端部で次第に上昇する形状を有しており、この部分に、ハウジング１０２を貫通するラベル排出口１１４が開口形成されている。
【００１８】
ハウジング１０２は、ハウジング１０２の下方部分であってラベル排出口１１４等が形成された下ユニット１０２ａと、ハウジング１０２の上方部分であって把持部１０４等が設けられた上ユニット１０２ｂとによって構成されている。上ユニット１０２ｂは、下ユニット１０２ａの後方側（図２中右側）に設けられた軸（図示せず）を回動支点として、下ユニット１０２ａに対して回動開閉自在となっている。また、ハウジング１０２の前面には、下ユニット１０２ａと上ユニット１０２ｂとを閉状態でロックするツメ部１０６が設けられている。
【００１９】
そして、ハウジング１０２の内部には、ロール状のライナレスラベルＬＬを収納する収納部１０９が設けられている。
【００２０】
図３は、ライナレスラベルＬＬを示す斜視図である。剥離台紙を不要としたライナレスラベルＬＬには、一定間隔でミシン目ＬＬａが形成されており、ミシン目ＬＬａ同士で区切られた部分が単体のラベルＬＢとなる。各々のラベルＬＢは、粘着剤が塗布された粘着面ＬＢａと、熱が印加されて発色する印字面ＬＢｂとを有している。印字面ＬＢｂの表面には離型剤が塗布されている。
【００２１】
また、粘着面ＬＢａには、ライナレスラベルＬＬの幅全域に亘る黒色のラインＬＬｂが予め印刷されている。ラインＬＬｂは、各々のラベルＬＢにおいて、一つ先端側の別のラベルＬＢとの区切りであるミシン目ＬＬａに隣接した位置にこのミシン目ＬＬａに沿って印刷されている。
【００２２】
このようなライナレスラベルＬＬは、粘着面ＬＢａを内側にしてロール状に巻回されており、このロール状態で収納部１０９に収納される。
【００２３】
図２の説明に戻る。収納部１０９は、下ユニット１０２ａと上ユニット１０２ｂとによって形成されている。収納部１０９に収納されたロール状のライナレスラベルＬＬは、底面が支持されており、一端を引き出すことにより回転自在となっている。
【００２４】
また、図２に示すように、ハウジング１０２の内部には、収納部１０９から引き出されたライナレスラベルＬＬをラベル排出口１１４に案内する案内経路１６１が形成されている。
【００２５】
案内経路１６１の途中には、一対の光透過センサ１２５が案内経路１６１を介して対向配置されている。光透過センサ１２５は、下ユニット１０２ａと上ユニット１０２ｂとに埋設されている。光透過センサ１２５の検出出力はＣＰＵ１１７（図６参照）に入力されている。
【００２６】
ライナレスラベルＬＬの搬送中にこのライナレスラベルＬＬに印刷された黒色のラインＬＬｂが光透過センサ１２５の間を通過した場合、光透過センサ１２５の光透過は遮断される。その一方で、ラインＬＬｂの印刷部分以外が光透過センサ１２５の間を通過中は、光透過センサ１２５の光透過は遮断されない。そして、光透過センサ１２５からＣＰＵ１１７に入力される検出出力は、光遮断によって「高」から「低」に変化し、光遮断が解除されて光透過状態となると、再び「低」から「高」に復帰する。
【００２７】
ところで、ライナレスラベルＬＬのミシン目ＬＬａは、黒色のラインＬＬｂに隣接させて形成されている（図３参照）。そこで、第１の実施形態では、ライナレスラベルＬＬに印刷されたラインＬＬｂの通過による光透過センサ１２５の光遮断をもって、光透過センサ１２５によるミシン目ＬＬａ通過の検出としている。そして、ＣＰＵ１１７は、光遮断による光透過センサ１２５の検出出力の変化によって、ミシン目ＬＬａの通過を判定する（図７参照）。
【００２８】
また、図２に示すように、ハウジング１０２の前面側には、回転駆動される搬送機構としてのプラテン１１２と印字部としてのサーマルヘッド１１３とが対向配置されている。プラテン１１２は、ハウジング１０２に内蔵されたステッピングモータ１１０（図６参照）の回転力がプラテン軸１１２ａに伝達されることにより回転する。また、サーマルヘッド１１３は、ライン状に配置された発熱体（図示せず）をプラテン１１２に当接させている。
【００２９】
プラテン１１２のプラテン軸１１２ａは、下ユニット１０２ａによって回動自在に支持されている。また、サーマルヘッド１１３は、上ユニット１０２ｂに取り付けられている。上ユニット１０２ｂを下ユニット１０２ａに対して開くことにより、サーマルヘッド１１３は、プラテン１１２から離反する。
【００３０】
上ユニット１０２ｂを開いた状態で、収納部１０９にロール状のライナレスラベルＬＬを収納し、収納したライナレスラベルＬＬを引出し、引き出したライナレスラベルＬＬをプラテン１１２上に載せる。そして、再び上ユニット１０２ｂを閉じてツメ部１０６によりロックさせることで、ライナレスラベルＬＬは、プラテン１１２とサーマルヘッド１１３とによって挟持される。
【００３１】
プラテン１１２とサーマルヘッド１１３とに狭持されたライナレスラベルＬＬは、回転駆動されるプラテン１１２によってハウジング１０２の先端側に向けて搬送される。そしてこの搬送過程でサーマルヘッド１１３の発熱体が発熱駆動されることにより、印字面ＬＢｂに印字がなされる。
【００３２】
ところで、下ユニット１０２ａの先端に開口形成されたラベル排出口１１４は、ライナレスラベルＬＬよりも広い幅を有している。プラテン１１２によって搬送されるライナレスラベルＬＬは、ラベル排出口１１４に案内されて、このラベル排出口１１４を通過してハウジング１０２の外部に排出される。
【００３３】
なお、ラベル排出口１１４から排出されたライナレスラベルＬＬは、後述するようにして切断されて単体のラベルＬＢとなる。そこで、以下の説明では、ラベル排出口１１４から排出された状態のライナレスラベルＬＬについては、未だ切断されておらず収納部１０９に収納されたロール状のライナレスラベルＬＬと連続したものであっても、単に「ラベルＬＢ」と呼ぶことがある。
【００３４】
そして、ラベル排出口１１４には、揺動体１５１が設けられている。次に、揺動体１５１について図４及び図５に基づいて説明する。
【００３５】
図４は、ラベル排出口１１４の周辺を示す縦断側面図である。図５は、揺動体１５１を示す斜視図である。揺動体１５１は、搬送されるライナレスラベルＬＬの印字面ＬＢｂ側の領域に配置されている。このとき、揺動体１５１は、プラテン１１２の回動支点であるプラテン軸１１２ａと平行な軸である回動軸１５５を支点にして回動自在に設けられている。
【００３６】
図５に示すように、揺動体１５１は、ライナレスラベルＬＬの幅方向よりもやや狭い幅長を有する丸棒状のフレーム１５１ａを主体に構成されている。フレーム１５１ａは、長方形の枠体が屈折成形されたような形状を有している。つまり、フレーム１５１ａを側方から見ると、図４に示すように、中央部分が谷折にされ、両端側が山折にされている。また、図５に示すように、フレーム１５１ａの一辺側は、屈曲がなく直線形状である一方で、フレーム１５１ａの他辺側は、中央部分が尖った形状となっており、頂点部１５３ａと、この頂点部１５３ａに接続する一対の斜めの辺部１５３ｂとを有している。このようなフレーム１５１ａの直線的な一辺をラベル押え部１５２と呼び、中央が尖った他辺をラベル切断部１５３と呼ぶ。
【００３７】
そして、図４に示すように、ラベル押え部１５２は、ハウジング１０２の先端部の外側で、ラベル排出口１１４から排出されるラベルＬＢの印字面ＬＢｂ側に配置されている。
【００３８】
また、ラベル切断部１５３は、ハウジング１０２の先端部の内側で、案内経路１６１の上面側に配置されている。より詳細には、案内経路１６１におけるサーマルヘッド１１３とラベル排出口１１４との間の位置である。そして、図４に示すように、ラベル切断部１５３は、ライナレスラベルＬＬの幅方向に沿って設けられている。
【００３９】
さらに、フレーム１５１ａには、ラベル押え部１５２とラベル切断部１５３とを接続するフレーム１５１ａの両側部分を覆うフレームカバー１５４が固定的に取り付けられている。フレームカバー１５４の両側面には、揺動体１５１の回動支点となる回動軸１５５が突出形成されている。回動軸１５５は、トーションスプリング１５６が嵌め込まれた状態で（図５参照）、下ユニット１０２ａによって回動自在に保持される。このとき、トーションスプリング１５６の一端は、フレームカバー１５４に形成されている保持部１５４ａの孔に差し込まれて位置保持されている。一方で、トーションスプリング１５６の他端は、詳細は図示しないが、回動軸１５５が下ユニット１０２ａに保持された状態で、下ユニット１０２ａに形成されている図示しない保持部の孔に差し込まれて位置保持されている。こうして、トーションスプリング１５６の両端がフレーム１５１ａと下ユニット１０２ａとに対して固定されているため、回動軸１５５が保持された状態の揺動体１５１は、回動軸１５５の軸回り方向へ自由に移動することなく、位置保持されている。なお、トーションスプリング１５６は、図４、図８、図１０、図１２では図示を省略している。
【００４０】
ここで、揺動体１５１に対してラベル押え部１５２を持ち上げるように外力を付与すると、揺動体１５１はラベル切断部１５３が案内経路１６１に近接するように回動軸１５５を支点に揺動し、このとき、トーションスプリング１５６には反発力が蓄積される。そして、揺動体１５１に対する外力の付与を解除すると、反発力を蓄積していたトーションスプリング１５６が復元するため、揺動体１５１は回動軸１５５を支点にラベル切断部１５３が案内経路１６１から離反するように揺動して、位置復帰する。
【００４１】
ところで、揺動体１５１に外力を付与してラベル押え部１５２を持ち上げ続けると、フレームカバー１５４の上面がラベル排出口１１４の上縁部分に当接し、揺動体１５１の回動は規制される。そして、このように揺動体１５１の回動が規制された状態では、ラベル切断部１５３は、上面から案内経路１６１に侵入する位置に位置付けられている。
【００４２】
次に、ハンドヘルドプリンタ１０１の電気的接続について説明する。
【００４３】
図６は、ハンドヘルドプリンタ１０１の電気的接続を示すブロック図である。ハンドヘルドプリンタ１０１には、各種演算処理を実行して各部を集中的に制御する制御部としてのＣＰＵ１１７が設けられ、このＣＰＵ１１７には固定データを固定的に格納するＲＯＭ１１９と、可変データを書換え自在に格納するＲＡＭ１２０とがシステムバス１２１を介して接続されている。ＲＯＭ１１９には制御プログラムが格納され、ＣＰＵ１１７は、ＲＯＭ１１９に格納された制御プログラムに従い、ＲＡＭ１２０をワークエリアとして利用しつつ各種の処理を実行する。
【００４４】
また、ハンドヘルドプリンタ１０１には、ＣＰＵ１１７によって駆動制御される各部として、プラテン１１２を回転駆動するためのステッピングモータ１１０を駆動制御するためのモータドライバ１２２と、サーマルヘッド１１３が有する発熱体（図示せず）を発熱駆動してサーマルヘッド１１３に印字動作をさせるヘッドコントローラ１４０とが設けられている。モータドライバ１２２及びヘッドコントローラ１４０は、システムバス１２１を介してＣＰＵ１１７に接続されている。
【００４５】
さらに、ＣＰＵ１１７には、通信インターフェース１２９及び画像メモリ１３０も、システムバス１２１を介して接続されている。ハンドヘルドプリンタ１０１では、上位装置から転送される印字データが通信インターフェース１２９を介して受信される。そして、ハンドヘルドプリンタ１０１のＣＰＵ１１７は、この印字データをドットパターンからなる画像データに変換して画像メモリ１３０に展開する。
【００４６】
ＣＰＵ１１７は、画像メモリ１３０に展開された画像データから１ライン毎のデータをヘッドコントローラ１４０に出力し、ヘッドコントローラ１４０は、ドットパターンの有るドットに対応する発熱体（図示せず）を発熱駆動する。こうして、サーマルヘッド１１３による印字動作が実行される。
【００４７】
さらに、ハウジング１０２には、このような印字動作を開始させるための操作部１４１が設けられており、この操作部１４１もシステムバス１２１を介してＣＰＵ１１７に接続されている。操作部１４１での所定の操作によって、ＣＰＵ１１７には印字開始指示が入力される。
【００４８】
また、ハンドヘルドプリンタ１０１には、ライナレスラベルＬＬの粘着面ＬＢａに印刷されたラインＬＬｂを検出するための光透過センサ１２５がポート１２８を介してシステムバス１２１に接続されている。そして、光透過センサ１２５の検出出力はＣＰＵ１１７に入力されている。
【００４９】
このような構成において、サーマルヘッド１１３によってラベルＬＢの印字面ＬＢｂに印字がなされてラベル排出口１１４から排出される際にハンドヘルドプリンタ１０１で実行される処理について説明する。
【００５０】
図７は、ハンドヘルドプリンタ１０１で実行される処理の流れを示すフローチャートである。ハンドヘルドプリンタ１０１のＣＰＵ１１７は、印字開始指示の入力に待機している（ステップＳ１０１）。そして、操作部１４１での操作によって印字開始指示がＣＰＵ１１７に入力されたならば（ステップＳ１０１のＹ）、ＣＰＵ１１７は、ステッピングモータ１１０を回転駆動して、プラテン１１２にライナレスラベルＬＬの搬送を開始させると共に（ステップＳ１０２）、ヘッドコントローラ１４０を制御してサーマルヘッド１１３に印字を開始させる（ステップＳ１０３）。
【００５１】
そして、搬送中のライナレスラベルＬＬに印刷されたラインＬＬｂが光透過センサ１２５の間に位置付けられることで、光透過センサ１２５からＣＰＵ１１７に入力される検出出力が「低」に変化した場合、ＣＰＵ１１７は、ミシン目ＬＬａの通過を判定し（ステップＳ１０４のＹ）、所定時間経過後に、ステッピングモータ１１０の回転駆動を停止して、プラテン１１２による搬送を停止させる（ステップＳ１０５）。
【００５２】
第１の実施形態では、この搬送停止（ステップＳ１０５）は、搬送されるライナレスラベルＬＬのミシン目ＬＬａがラベル切断部１５３の揺動軌跡上の位置（ミシン目位置）に位置付けられるタイミングでＣＰＵ１１７によって実行される。
【００５３】
また、この停止時においては、ステッピングモータ１１０の励磁相に励磁電流（駆動電流）を流し続けることによって、ステッピングモータ１１０の回転位置の位置保持を実行する制御がＣＰＵ１１７によってなされている。そして、ステッピングモータ１１０の回転位置が位置保持されていることにより、プラテン１１２もその回転が規制されている。このとき、プラテン１１２とサーマルヘッド１１３とによって挟持されているライナレスラベルＬＬは、その搬送がロックされ、外力が付与されてもラベル排出口１１４から引き出されない。このようなプラテン１１２とサーマルヘッド１１３とによって、ライナレスラベルＬＬを引き出し不可にロックするロック機構が実現されている。
【００５４】
さらに、ステップＳ１０５で搬送が停止された状態では、ミシン目ＬＬａによって区切られるラベルＬＢは、その一部がラベル排出口１１４からハウジング１０２の外部に露出して、ラベル押え部１５２の下方領域に位置付けられる。
【００５５】
次に、ラベル排出口１１４から一部が露出したラベルＬＢを被貼付物ＷＫ（図８参照）に貼り付ける場合について説明する。ここでは、被貼付物ＷＫの上面にラベルＬＢを貼り付ける場合について説明する。
【００５６】
図８は、ラベルＬＢを被貼付物ＷＫに貼り付ける状態のハンドヘルドプリンタ１０１の先端部分を示す縦断側面図である。このとき、ハンドヘルドプリンタ１０１の使用者は、手４０１で把持部１０４を把持しており、その腕４０２は面ファスナ１０５によってハウジング１０２に対して固定されている。
【００５７】
まず、手４０１で把持部１０４を把持したまま腕４０２を移動することによって、ハンドヘルドプリンタ１０１をラベル排出口１１４が下向きとなる姿勢にする。そして、この姿勢のままハンドヘルドプリンタ１０１を被貼付物ＷＫに近接させる。こうして、図８（ａ）に示すように、ラベル排出口１１４から排出されているラベルＬＢの粘着面ＬＢａの先端を、被貼付物ＷＫの表面に接触させる。このとき、ラベル押え部１５２は、被貼付物ＷＫに接触した粘着面ＬＢａとは反対側の印字面ＬＢｂに接触する。
【００５８】
次に、ラベル押え部１５２が印字面ＬＢｂに接触した状態から、手４０１で把持部１０４を把持したまま腕４０２を被貼付物ＷＫに向けて移動させることによってハンドヘルドプリンタ１０１に外力を作用させ、このハンドヘルドプリンタ１０１を被貼付物ＷＫに対して押し付ける。すると、ラベル押え部１５２が印字面ＬＢｂを押え付けるので、粘着面ＬＢａが被貼付物ＷＫに対して、より密着する。
【００５９】
このような押し付けによって、ラベル押え部１５２を含む揺動体１５１は、被貼付物ＷＫから押圧力を受け、この押圧力によって回動軸１５５を支点にして、図８（ｂ）に示すように、ラベル押え部１５２が持ち上がりラベル切断部１５３が案内経路１６１に侵入するように揺動する。この揺動によって、トーションスプリング１５６は、反発力を蓄積する。
【００６０】
ところで、ライナレスラベルＬＬのミシン目ＬＬａは、ラベル切断部１５３の揺動軌跡上に位置付けられている（図７のフローチャートのステップＳ１０５参照）。そのため、揺動体１５１の揺動によりラベル切断部１５３が案内経路１６１に侵入することによって、このミシン目ＬＬａに対して、まず、ラベル切断部１５３の頂点部１５３ａが上面から突き当たる。これにより、ミシン目ＬＬａの中央部分には頂点部１５３ａの形状（図５参照）に基づく点状の切れ目が形成される。そして、ラベル切断部１５３が案内経路１６１にさらに侵入するに伴って、頂点部１５３ａに接続する斜めの辺部１５３ｂが次第にこの切れ目をミシン目ＬＬａに沿って拡張していく。このようにして、ミシン目ＬＬａには、中央部分から両側に広がる切れ目が形成される。
【００６１】
次に、ミシン目ＬＬａに切れ目が形成された状態から、把持部１０４を把持したまま腕４０２を移動させることによって、図８（ｃ）に示すように、ハンドヘルドプリンタ１０１を被貼付物ＷＫの表面に沿って手前側（図８中右側）に引くように移動させる。
【００６２】
このとき、ラベル排出口１１４から排出されたラベルＬＢの先端側については、その粘着面ＬＢａが被貼付物ＷＫの表面に接着している。つまり、位置固定されている。また、このラベルＬＢを含むライナレスラベルＬＬは、サーマルヘッド１１３と回転停止したプラテン１１２とによって引き出し不可にロックされている。
【００６３】
そのため、ハンドヘルドプリンタ１０１を被貼付物ＷＫの表面に沿って引く方向に移動することによって、ラベル排出口１１４から排出されたラベルＬＢを含むライナレスラベルＬＬは、両端側から引っ張られることになる。そして、このライナレスラベルＬＬは、ミシン目ＬＬａに切れ目が形成されているため、ハンドヘルドプリンタ１０１の移動過程で両端側からの引っ張りに耐え切れなくなり、粘着面ＬＢａが被貼付物ＷＫに接着したラベルＬＢを残して切断される。こうして、ラベル排出口１１４から排出されたラベルＬＢが切断される。
【００６４】
そして、ラベルＬＢが切断された後も引き続きハンドヘルドプリンタ１０１を被貼付物ＷＫに対して押え付けながら手前に引くように移動させる。これにより、ラベル押え部１５２が印字面ＬＢｂを滑るようにしてラベルＬＢを被貼付物ＷＫに対して押し付けることになるため、粘着面ＬＢａが被貼付物ＷＫに対して確実に貼り付く。
【００６５】
ラベルＬＢを被貼付物ＷＫに貼り付けた後は、ハンドヘルドプリンタ１０１をこの被貼付物ＷＫから離反させて、ラベル押え部１５２によるラベルＬＢの押し付けを解除する。すると、反発力を蓄積していたトーションスプリング１５６が復元するため、揺動体１５１は回動軸１５５を支点に揺動して位置復帰する。
【００６６】
以上説明したように第１の実施形態によれば、ラベル排出口１１４から排出されたラベルＬＢを切断する際に、ラベルＬＢを被貼付物ＷＫに貼り付ける動作と全く異なる動作、つまり、把持部１０４を持つ手４０１とは別の手でラベルＬＢを切断するような動作は必要とされない。また、ラベルＬＢを切断する際に、把持部１０４を把持する手４０１をねじったり、腕４０２を左右方向に移動させたりするような無理な動作も必要とされない。
【００６７】
第１の実施形態では、ラベル排出口１１４から排出されたラベルＬＢを切断して被貼付物ＷＫに貼り付けるためには、ラベル押え部１５２をラベルＬＢに押し付け、その後、被貼付物ＷＫの表面に沿ってハンドヘルドプリンタ１０１を手前側に引くという一連の動作のみが要求される。
【００６８】
つまり、第１の実施形態によれば、ライナレスラベルＬＬを切断する作業と、切断されて単体となったラベルＬＢを被貼付物ＷＫに貼りつける作業とを一連の動作で行うことができる。
【００６９】
ラベル切断部１５３の形状は図５に基づいて説明した形状に限られない。例えば、図９に示すように、ラベル切断部１５３は、案内経路１６１に対して中央部分が窪み、両側端に頂点部１５３ａを有する形状でも良い。ラベル切断部１５３は、頂点部１５３ａから中央部分に向けて辺部１５３ｂを有する。ミシン目ＬＬａに対して、まず、頂点部１５３ａが上面から突き当たる。これにより、ミシン目ＬＬａの両端部分には頂点部１５３ａの形状に基づく点状の切れ目が形成される。ラベル切断部１５３が案内経路１６１にさらに侵入するに伴って、頂点部１５３ａに接続する斜めの辺部１５３ｂが次第に切れ目をミシン目ＬＬａに沿って拡張する。このようにして、ミシン目ＬＬａには、両端部分から中央に至る切れ目が形成される。
【００７０】
［第２の実施形態］
次に、本発明の第２の実施形態について図１０及び図１１に基づいて説明する。第１の実施形態で示した部分と同一の部分について同一の符号で示し、説明も省略する（以下同じ）。
【００７１】
図１０は、第２の実施形態のハンドヘルドプリンタ１０１を示す縦断側面図である。図１１は、第２の実施形態のラベル切断部２１１を示す模式図である。第２の実施形態のラベル切断部２１１は、フレーム１５１ａに固定された刃２１１ａを備えている。刃２１１ａは、図１０に示すように、ライナレスラベルＬＬの幅方向に沿って設けられ、側方から見て先端が鋭角に尖った鋭利な刃であり、また図１１に示すように、案内経路１６１に向けて尖った形状を有している。つまり、ラベル切断部２１１に設けられた刃２１１ａは、案内経路１６１の片側に寄せた頂点部２１１ａａと、この頂点部２１１ａａに接続した斜めの刃部分である辺部２１１ａｂとを有している。
【００７２】
また、図１０に示すように、第２の実施形態では、刃２１１ａの先端と案内経路１６１を介して対面する位置には、刃２１１ａを収納可能な形状を有する収納溝２１２が設けられている。収納溝２１２は、下ユニット１０２ａに形成されている。
【００７３】
そして、ラベル排出口１１４から排出されたラベルＬＢを被貼付物ＷＫに貼り付ける際には、第１の実施形態（図８参照）と同様にする。つまり、ラベル押え部１５２が印字面ＬＢｂに接触した状態から、ハンドヘルドプリンタ１０１を被貼付物ＷＫに対して押し付ける。すると、揺動体１５１は、被貼付物ＷＫから押圧力を受けて揺動し、ラベル切断部２１１が案内経路１６１に侵入する。
【００７４】
第２の実施形態では、このようなラベル切断部２１１の案内経路１６１への侵入により、刃２１１ａが収納溝２１２に入り込む。この過程で、まず、刃２１１ａの頂点部２１１ａａがライナレスラベルＬＬに突き刺さって切れ目を形成する。そして、刃２１１ａの収納溝２１２への入り込みが進行するに従って、斜めの辺部２１１ａｂがライナレスラベルＬＬを幅方向に裁断して切れ目を拡張する。ここで、刃２１１ａは、ライナレスラベルＬＬの幅よりも短いため、ライナレスラベルＬＬの一端又は両端は、切れ目が形成されない部分となる。
【００７５】
そして、ハンドヘルドプリンタ１０１を被貼付物ＷＫの表面に沿って手前側に引くように移動させると、ラベルＬＢは形成された切れ目から完全に切断される。
【００７６】
その後、さらに、ハンドヘルドプリンタ１０１を被貼付物ＷＫに対して押え付けながら手前に引くことにより、ラベル押え部１５２が印字面ＬＢｂを滑るようにしてラベルＬＢを被貼付物ＷＫに対して押し付けるので、粘着面ＬＢａが被貼付物ＷＫに対して確実に貼り付くことになる。
【００７７】
第２の実施形態では、刃２１１ａがライナレスラベルＬＬを強制的に突き破って切れ目を形成するため、ライナレスラベルＬＬのミシン目ＬＬａが形成されていない部分やミシン目ＬＬａの無いライナレスラベルＬＬについても切れ目を形成することができる。
【００７８】
以上説明したように第２の実施形態でも、ラベル排出口１１４から排出されたラベルＬＢを切断する際に、ラベルＬＢの被貼付物ＷＫに貼り付ける動作と全く異なる動作や無理な動作は必要とされない。そして、第２の実施形態では、ラベル排出口１１４から排出されたラベルＬＢを切断して被貼付物ＷＫに貼り付けるためには、ラベル押え部１５２をラベルＬＢに押し付け、その後、被貼付物ＷＫの表面に沿ってハンドヘルドプリンタ１０１を手前側に引くという一連の動作のみが要求される。つまり、第２の実施形態によっても、ライナレスラベルＬＬを切断する作業と、切断されて単体となったラベルＬＢを被貼付物ＷＫに貼りつける作業とを一連の動作で行うことができる。
【００７９】
［第３の実施形態］
次に、本発明の第３の実施形態について図１２に基づいて説明する。
【００８０】
図１２は、第３の実施形態のハンドヘルドプリンタ１０１を示す縦断側面図である。第３の実施形態のラベル切断部３１１は、側方から見て先端が鋭角に尖った刃３１１ａを有する。刃３１１ａは、ライナレスラベルＬＬの幅方向に沿って設けられており、案内経路１６１に沿って搬送されるライナレスラベルＬＬに対して平行な辺状に形成されている。
【００８１】
そして、第３の実施形態では、図１２に示すように、刃３１１ａの先端と対面する位置の下ユニット１０２ａには、案内経路１６１を介して、刃３１１ａの先端形状に合致する形状、つまり、案内経路１６１に沿って搬送されるライナレスラベルＬＬに対して平行な当接面３１２が形成されている。
【００８２】
第３の実施形態でも、ラベル排出口１１４から排出されたラベルＬＢを被貼付物ＷＫに貼り付ける際には、第１の実施形態（図８参照）と同様にする。つまり、ラベル押え部１５２がラベル排出口１１４から排出されたラベルＬＢの印字面ＬＢｂに接触した状態から、ハンドヘルドプリンタ１０１を被貼付物ＷＫに対して押し付ける。すると、揺動体１５１は、被貼付物ＷＫから押圧力を受けて揺動し、ラベル切断部３１１が案内経路１６１に侵入する。そして、刃３１１ａが当接面３１２に当接する。
【００８３】
そのため、第３の実施形態では、ラベル切断部３１１が案内経路１６１に侵入することにより、鋭利な刃３１１ａが案内経路１６１中のライナレスラベルＬＬを当接面３１２に押し付ける。これにより、ライナレスラベルＬＬは刃３１１ａに沿って裁断されて、幅方向に切れ目が形成される。ここで、刃３１１ａは、ライナレスラベルＬＬの幅よりも短いため、ライナレスラベルＬＬの一端又は両端は、切れ目が形成されない部分となる。
【００８４】
そして、ハンドヘルドプリンタ１０１を被貼付物ＷＫの上面に沿って手前側に引くように移動させると、ラベルＬＢは形成された切れ目から完全に切断される。その後、さらに、ハンドヘルドプリンタ１０１を手前に引くことで、粘着面ＬＢａが被貼付物ＷＫに対して確実に貼り付くことになる。このように、第３の実施形態でも、ミシン目ＬＬａの無いライナレスラベルＬＬに切れ目を形成することができる。
【００８５】
以上説明したように第３の実施形態でも、ラベル排出口１１４から排出されたラベルＬＢを切断する際に、ラベルＬＢの被貼付物ＷＫに貼り付ける動作と全く異なる動作や無理な動作は必要とされない。そして、第３の実施形態では、ラベル排出口１１４から排出されたラベルＬＢを切断して被貼付物ＷＫに貼り付けるためには、ラベル押え部１５２をラベルＬＢに押し付け、その後、被貼付物ＷＫの表面に沿ってハンドヘルドプリンタ１０１を手前側に引くという一連の動作のみが要求される。つまり、第３の実施形態によっても、ライナレスラベルＬＬを切断する作業と、切断されて単体となったラベルＬＢを被貼付物ＷＫに貼りつける作業とを一連の動作で行うことができる。
【００８６】
［第４の実施形態］
次に、本発明の第４の実施形態について図１３及び図１４に基づいて説明する。
【００８７】
図１３は、第４の実施形態のハンドヘルドプリンタ１０１を示す縦断側面図である。なお、図１３は、ラベルＬＢを被貼付物ＷＫに貼り付ける状態を示している。また、図１４は、第４の実施形態のラベル切断部４１１を模式的に示す平面図である。
【００８８】
第４の実施形態のラベル切断部４１１と、第４の実施形態のラベル押え部４２１とは、他の実施形態とは異なり揺動せず、上ユニット１０２ｂに対して固定的に設けられている。
【００８９】
ラベル押え部４２１は、上ユニット１０２ｂの先端部の外側であってラベル排出口１１４の上面側に設けられている。ハウジング１０２の幅方向に長い四角柱形状を有している。そのため、ラベル押え部４２１は、他の実施形態と同様に直線的な辺を形成している。
【００９０】
ラベル切断部４１１は、上ユニット１０２ｂの先端部の内側に設けられて、図１３に示すように、側方から見て案内経路１６１に向けて突出した形状を有している。また、図１４に示すように、上面から見ると、ラベル切断部４１１は、中央部分が尖った形状となっており、頂点部４１１ａとこの頂点部４１１ａに接続する一対の斜めの辺部４１１ｂとを有している。
【００９１】
このようなラベル切断部４１１の頂点部４１１ａを含む先端部分は、案内経路１６１に干渉しており、案内経路１６１を案内されてラベル排出口１１４から排出されるライナレスラベルＬＬの印字面ＬＢｂに接触した状態となっている。
【００９２】
そして、第４の実施形態では、ライナレスラベルＬＬの搬送が停止された状態では（図７のフローチャートのステップＳ１０５）、ライナレスラベルＬＬのミシン目ＬＬａは、ラベル切断部４１１の頂点部４１１ａと接触する位置（ミシン目位置）に位置付けられる。
【００９３】
次に、第４の実施形態のハンドヘルドプリンタ１０１を使用して、ラベル排出口１１４から排出されたラベルＬＢを被貼付物ＷＫに貼り付ける場合について説明する。
【００９４】
なお、ラベル排出口１１４から排出されたラベルＬＢを含むライナレスラベルＬＬは、サーマルヘッド１１３とプラテン１１２とによって引き出し不可にロックされている。
【００９５】
まず、ハンドヘルドプリンタ１０１の使用者は、ラベル排出口１１４から排出されているラベルＬＢをラベル押え部４２１によって押え付ける。そして、押え付けたラベルＬＢの印字面ＬＢｂに沿ってラベル押え部４２１を移動させて、ラベル押え部４２１に粘着面ＬＢａを被貼付物ＷＫに貼り付けさせる。
【００９６】
このような貼り付け動作の過程で、ラベル排出口１１４から排出されているラベルＬＢは、長さ方向に引っ張られて、張力が付与された状態となる。
【００９７】
ここで、前述したように、ラベル切断部４１１の先端部分は、案内経路１６１に干渉して案内経路１６１中のライナレスラベルＬＬのミシン目ＬＬａに接触している。そのため、ライナレスラベルＬＬに張力が付与されることによってライナレスラベルＬＬはラベル切断部４１１の先端部分に沿って押し当てられた状態となる。そして、このとき、ミシン目ＬＬａにまず頂点部４１１ａが突き当たり点状の切れ目が形成され、その後、辺部４１１ｂがこのミシン目ＬＬａに突き当たって、ミシン目ＬＬａに沿って切れ目を拡張させる。このようにして、ミシン目ＬＬａに切れ目が形成される。
【００９８】
そして、さらに、ラベル押え部４２１でラベルＬＢを押えた状態でハンドヘルドプリンタ１０１を手前側に引くようにして移動させる。すると、この移動過程でラベルＬＢはミシン目ＬＬａから完全に切り離される。また、ラベル押え部１５２が印字面ＬＢｂを滑るようにしてラベルＬＢを被貼付物ＷＫに対して押し付けるので、粘着面ＬＢａが被貼付物ＷＫに対して確実に貼り付く。
【００９９】
以上説明したように第４の実施形態では、ラベルＬＢを切断して被貼付物ＷＫに貼り付けるためには、ラベル押え部４２１でラベルＬＢを押えた状態でハンドヘルドプリンタ１０１を手前側に引くという動作のみが要求される。つまり、第４の実施形態でも、ライナレスラベルＬＬを切断する作業と、切断されて単体となったラベルＬＢを被貼付物ＷＫに貼りつける作業とを一連の動作で行うことができる。
【符号の説明】
【０１００】
１０１…ハンドヘルドプリンタ
１０２…ハウジング
１０４…把持部
１０９…収納部
１１０…ステッピングモータ（搬送機構の駆動源）
１１２…プラテン（搬送機構）
１１３…サーマルヘッド（印字部）
１１４…ラベル排出口
１１７…ＣＰＵ（制御部）
１２５…センサ（光透過センサ）
１５１…揺動体
１５２…ラベル押え部
１５３…ラベル切断部
１６１…案内経路
２１１…ラベル切断部
２１１ａ…刃
３１１…ラベル切断部
３１１ａ…刃
３１２…当接面
４１１…ラベル切断部
４２１…ラベル押え部
ＬＬ…ライナレスラベル
ＬＬａ…ミシン目
【図１】
2010000779.tif 000003
【図２】
2010000779.tif 000004
【図３】
2010000779.tif 000005
【図４】
2010000779.tif 000006
【図５】
2010000779.tif 000007
【図６】
2010000779.tif 000008
【図７】
2010000779.tif 000009
【図８】
2010000779.tif 000010
【図９】
2010000779.tif 000011
【図１０】
2010000779.tif 000012
【図１１】
2010000779.tif 000013
【図１２】
2010000779.tif 000014
【図１３】
2010000779.tif 000015
【図１４】
2010000779.tif 000016